(57)【要約】      （修正有）【課題】床下空間の有効活用を増進させるための床下換気口の収納構造を提供する。【解決手段】建物の基礎部分２ａに穿設した換気口に換気口枠２ｂと、多数の縦枠２ｅと横枠２ｄを等間隔に備えた格子状の扉枠２ｃを設け、基礎部内に正面枠と背面枠と左右面枠と底枠とキャスター３ｇと取っ手を持つ収納箱と、収納箱が移動するために設けた両端にストッパー４ｃを備えた２本のレール４ａとからなる床下換気口の収納構造と、正面及び背面にシャッター構造を持ち、内部が縦横衝立により４つの収納に分かれ、底板の中央に差込孔を設けた収納箱と、４つのキャスターと内側が縦枠と横枠により交差し、交差地点に前記収納箱の差込孔に差し込むための差込棒が起立している台車とからなる床下換気口の収納構造で使用する収納箱の構成とした。【選択図】図５
2005023640.tif 000002
【特許請求の範囲】
【請求項１】
建物の基礎部分に穿設した換気口に換気口枠と、多数の縦枠と横枠を等間隔に備えた格子状の扉枠を設け、基礎部内に正面枠と背面枠と左右面枠と底枠とキャスターと取っ手を持つ収納箱と、収納箱が移動するために設けた両端にストッパーを備えた２本のレールとからなることを特徴とする床下換気口の収納構造。
【請求項２】
正面及び背面にシャッター構造を持ち、内部が縦横衝立により４つの収納に分かれ、底板の中央に差込孔を設けた収納箱と、４つのキャスターと内側が縦枠と横枠により交差し、交差地点に前記収納箱の差込孔に差し込むための差込棒が起立している台車とからなることを特徴とする請求項１に記載の床下換気口の収納構造で使用する収納箱。
【請求項３】
正面枠と背面枠と左右側面枠と底板とキャスターからなり、正面枠が底板に蝶番により接続され、左右側面枠とは係止部材により留め外しができる構造となっているため正面枠を自由に開閉できことを特徴とする請求項１に記載の床下換気口の収納構造で使用する収納箱。
【請求項４】
基礎部分に穿設した換気口に換気口枠と、多数の縦枠と横枠を等間隔に備えた格子状の２枚の扉枠を観音開き状に取り付けたことを特徴とする請求項１に記載の床下換気口の収納構造で使用する扉。
【請求項５】
基礎部分に穿設した換気口に換気口枠と、多数の縦枠と横枠を等間隔に備えた格子状の扉枠と、上下レールとからなり扉枠を引き戸構造にしたことを特徴とする請求項１に記載の床下換気口の収納構造で使用する扉。
【請求項６】
正面に複数段の引き出しを持ち、底板の中央に差込孔を設けた収納箱と、４つのキャスターと内側が縦枠と横枠により交差し、交差地点に前記収納箱の差込孔に差し込むための差込棒が起立している台車とからなることを特徴とする請求項１及び請求項２に記載の床下換気口の収納構造で使用する収納箱。
【請求項７】
正面、背面、左右面の４面がシャッター構造となったことを特徴とする請求項２に記載の床下換気口の収納構造で使用する収納箱。
【請求項８】
正面枠と正面枠より丈の高い背面枠と略台形状をした左右側面と底板とキャスターからなり、正面枠が底板に蝶番により接続され、左右側面とは係止部材により留め外しができる構造となっているため正面枠を自由に開閉できることを特徴とする請求項３に記載の床下換気口の収納構造で使用する収納箱。
【請求項９】
正面枠と正面枠より丈の高い背面枠と略台形状をした左右側面と底板からなる収納箱と、略コの字型でレール上を移動するための複数のキャスターを備えたキャスター部と、２本のＬ字型レールとからなり、キャスター部により収納箱を持ち上げ、レールにぶら下がった状態で移動することを特徴とする請求項１に記載の床下換気口の収納構造。
【請求項１０】
引き出し構造である収納箱と、上面に複数本のレールを備え下面に高さ調節の可能なキャスターを備えた土台板と前記レール上をスライドするスライド棒を下面に備えたスライド板とからなることを特徴とする請求項１に記載の床下換気口の収納構造で使用する収納箱。
【請求項１１】
開閉可能な正面板と正面板より丈の高い背面板と略台形状をした左右側面と下面にスライド棒及び補助キャスターを備えた底板からなる収納箱と、底板の上面にレールを備え、正面板がないワゴンと、ワゴンに取り付けられ、上端複数のキャスターを備えたＬ字型保持材とからなるキャスター部と、両端にストッパーを設けたレールとからなることを特徴とする請求項１に記載の床下換気口の収納構造。
【発明の詳細な説明】
【０００１】
【発明が属する技術分野】
本発明は、床下空間の有効活用を増進させるための床下換気口の収納構造の改良に関する発明である。
【０００２】
【従来の技術】
従来、住宅の床下は空洞となったままで使用されていなかったり、台所の床下収納として台所の床下に小さな収納庫を掘り下げて利用する程度であった。
【０００３】
【発明が解決しようとする課題】
しかしながら、従来の床下収納では床下面積の僅かな部分しか使用してなかったため、建物全体の収納スペースが少ない場合は収納に困り、建物全体の収納スペースを増やせば収納以外の居住空間が狭くなるという問題があり、収納力と広い居住空間を両立させるには難しいものであった。
【０００４】
そこで、本発明は、建物の中で一番強度の高い基礎部分である床下全体を収納スペースとして利用することで、建物内の収納スペースを減らし居住空間を広くし、日本の大部分の家の悩みである小さく狭い家を小さく広い家とすることを実現することができる床下換気口の収納構造を提供することを目的とするものである。
【０００５】
【課題を解決するための手段】
本発明は、上記の課題を解決するために、建物の基礎部分に穿設した換気口に換気口枠と、多数の縦枠と横枠を等間隔に備えた格子状の扉枠を設け、基礎部内に正面枠と背面枠と左右面枠と底枠とキャスターと取っ手を持つ収納箱と、収納箱が移動するために設けた両端にストッパーを備えた２本のレールとからなる床下換気口の収納構造と、正面及び背面にシャッター構造を持ち、内部が縦横衝立により４つの収納に分かれ、底板の中央に差込孔を設けた収納箱と、４つのキャスターと内側が縦枠と横枠により交差し、交差地点に前記収納箱の差込孔に差し込むための差込棒が起立している台車とからなる床下換気口の収納構造で使用する収納箱と、正面枠と背面枠と左右側面枠と底板とキャスターからなり、正面枠が底板に蝶番により接続され、左右側面枠とは係止部材により留め外しができる構造となっているため正面枠を自由に開閉できる床下換気口の収納構造で使用する収納箱と、基礎部分に穿設した換気口に換気口枠と、多数の縦枠と横枠を等間隔に備えた格子状の２枚の扉枠を観音開き状に取り付けた床下換気口の収納構造で使用する扉と、基礎部分に穿設した換気口に換気口枠と、多数の縦枠と横枠を等間隔に備えた格子状の扉枠と、上下レールとからなり扉枠を引き戸構造にした床下換気口の収納構造で使用する扉と、正面に複数段の引き出しを持ち、底板の中央に差込孔を設けた収納箱と、４つのキャスターと内側が縦枠と横枠により交差し、交差地点に前記収納箱の差込孔に差し込むための差込棒が起立している台車とからなる床下換気口の収納構造で使用する収納箱と、正面、背面、左右面の４面がシャッター構造となった床下換気口の収納構造で使用する収納箱と、正面板と正面板より丈の高い背面板と略台形状をした左右側面板と底板とキャスターからなり、正面板が底板に蝶番により接続され、左右側面板とは係止部材により留め外しができる構造となっているため正面板を自由に開閉できる床下換気口の収納構造で使用する収納箱と、正面枠と正面枠より丈の高い背面枠と略台形状をした左右側面と底板からなる収納箱と、略コの字型でレール上を移動するための複数のキャスターを備えたキャスター部と、２本のＬ字型レールとからなり、キャスター部により収納箱を持ち上げ、レールにぶら下がった状態で移動する床下換気口の収納構造と、引き出し構造である収納箱と、上面に複数本のレールを備え下面に高さ調節可能なキャスターを備えた土台板と前記レール上をスライドするスライド棒を下面に備えたスライド板とからなる床下換気口の収納構造で使用する収納箱と、開閉可能な正面板と正面板より丈の高い背面板と略台形状をした左右側面と下面にスライド棒及び補助キャスターを備えた底板からなる収納箱と、底板の上面にレールを備え、正面板がないワゴンと、ワゴンに取り付けられ、上端複数のキャスターを備えたＬ字型保持材とからなるキャスター部と、両端にストッパーを設けたレールとからなる床下換気口の収納構造の構成とした。
【０００６】
【実施例】
以下に、添付図面に基づいて本発明である床下換気口の収納構造を詳細に説明する。図１から図６までは本発明である床下換気口の収納構造の第１実施例、図７から図１１は本発明で使用する収納箱の第２実施例、図１２は本発明で使用する収納箱の第３実施例、図１３及び図１４は本発明の第２実施例、図１５は本発明の第３実施例、図１６は本発明で使用する収納箱の第４実施例、図１７は本発明で使用する第５実施例、図１８は本発明で使用する第６実施例、図１９は本発明で使用する第７実施例、図２０から図２２は本発明で使用する第８実施例、図２３と図２４は本発明で使用する第９実施例を示した図である。図２５は本発明を床下に設置した状態を示す図である。
【０００７】
図１から図６は、本発明である床下換気口の収納構造の第１実施例を示した図である。図１に示すように、本発明である床下換気口の収納構造１は住宅等の基礎部２ａに設置されている換気口と基礎部２ａ内の床下を利用した収納構造である。
【０００８】
図２および図３は本発明である床下換気口の収納構造の正面図である。図２に示すように、基礎部２ａに穿設されている長方形状の換気口に換気口枠２ｂを固定している。換気口枠２ｂには扉枠２ｃが蝶番２ｆ、２ｆを介して開閉可能に取り付けてある。扉枠２ｃの枠の内側は２本の横枠２ｄ、２ｄと複数の縦枠２ｅ、２ｅ、２ｅ・・・が等間隔に固定されている。
【０００９】
前記縦枠２ｅ、２ｅ、２ｅ・・・のうち左方の縦枠２ｅには回動運動をする係止具２ｉを備えた係止部材付係止板２ｇが取り付けられており、前記基礎部２ａには、その係止部付材係止板２ｇの係止部材２ｉが回動したのち係止するための係止板２ｈが取り付けられている。係止部材付係止板２ｇ、係止板２ｈ、係止部材２ｉは扉枠２ｃが閉じた状態を保つために取り付けられた部材である。
【００１０】
図３は、前記係止部材２ｉを係止板２ｈから外し、扉枠２ｃを開いた状態を示している。尚、換気口枠２ｂと扉枠２ｃを繋いでいる蝶番２ｆ、２ｆを付ける場所は右側に限定したものではなく、左側でも良いものとする。
【００１１】
図４は本発明で使用する収納箱の斜視図である。図４に示すように、収納箱３は正面枠３ａ、背面枠３ｂ、左右側面枠３ｃ、３ｄ、底枠３ｅとからなる箱状をしており、底枠３ｅの下面には４つのキャスター３ｇ、３ｇ、３ｇ、３ｇが設置されており、また、右側面枠３ｄの外面には取っ手３ｆが設置されており、同様に左側面枠３ｃの外面にも取っ手が設置されている。
【００１２】
前記キャスター３ｇ、３ｇ、３ｇ、３ｇを走らせるためのレール４は２本のレール板４ａ、４ａからなり、中央には溝４ｂが設けられており、前記溝４ｂ上をキャスター３ｇが移動する。
【００１３】
図５は本発明である床下換気口の収納構造の正面図、図６は平面図である。図５及び図６に示すように、本発明では一組のレール４につき２つの収納箱３、３を使用する。収納箱３、３から収納物５を取り出したり、物を収納したりする際に換気口の部分へスライドさせ、それ以外の場合は外から見えないように基礎部２ａにより隠れる部分へスライドさせて使用する。
【００１４】
尚、レール４を短くし、１組レール４につき１つの収納箱３を使用してもよく、また逆にレール４を長くとり１組のレール４につき３つ以上の収納箱３を使用してもよいものとする。また、レール板４ａ、４ａの両端にはストッパー４ｃ、４ｃが付いているため、手が届かない程奥まで収納箱３がスライドしてしまうことがない。
【００１５】
図７及び図８は本発明である床下換気口の収納構造で使用する収納箱の第２実施例を示す斜視図である。図７、図８に示すように、収納箱６は箱状をしており内部は横衝立６ｅと縦衝立６ｆにより４つの部屋に区切られている。
【００１６】
前記縦横衝立６ｆ、６ｅが交差した部分は底板６ｂから天板６ａに向かって差込孔６ｇが空いている。また、左右側面６ｃ、６ｄ以外の正面及び背面はシャッター６ｈ、６ｉとなっている。符号６ｊは取っ手を示している。
【００１７】
台車７は内側が四角く刳り抜かれ縦枠７ｂと横枠７ｃが横架している架台７ａと４つのキャスター７ｆ、７ｆ、７ｆ、７ｆと差込棒７ｅとからなり、前記縦枠７ｂと横枠７ｃの交差した箇所に差込棒台７ｄが備えられ、差込棒台７ｄより差込棒７ｅが起立している。
【００１８】
前記差込棒７ｅは、収納箱６の差込孔６ｇに差し込まれ図７の状態で重なり合う。前記差込棒７ｅと差込棒６ｇは固定されるのではなく回動可能に接続される。
【００１９】
図９は本発明である床下換気口の収納構造で使用する収納箱の第２実施例のＡ−Ａ線に沿った断面図である。図９に示すように、横衝立６ｅと縦衝立６ｆの交差した内部には差込孔６ｇが穿設されており台車７の差込棒７ｅが回動可能に嵌入されている。
【００２０】
天板６ａの下には内天板６ｋ、６ｋが設置されており天板６ａと内天板６ｋ、６ｋの間にできる空間はシャッター収納部６ｌ、６ｌとなっている。
【００２１】
図１０は本発明である床下換気口の収納構造で使用する収納箱の第２実施例のＢ−Ｂ線に沿った断面図である。図１０に示すように横衝立６ｅと縦衝立６ｆの交差した箇所には差込孔６ｇが穿設されており、台車７の差込棒７ｅが嵌入されている。
【００２２】
収納箱６の内部は横衝立６ｅと縦衝立６ｆにより４等分されているが、これは特に限定したものではなく、横衝立６ｅ或いは縦衝立６ｆだけを使用し２等分としてもよく、また衝立の数を増やし６等分としてもよく、収納箱６の中心を通る衝立の中央に前記差込孔６ｇを用意さえすればどんな仕切方法でもよい。
【００２３】
図１１は本発明である床下換気孔の収納構造で使用する収納箱の第２実施例を回転させた状態を示す斜視図である。図１１に示すように、差込孔６ｇ及び差込棒７ｅによって回動可能に接続された収納箱６は台車７の上で回転することができるため、裏側に回ってしまった収納部を回転させることで手前に移動させることができる。
【００２４】
図１２は本発明である床下換気口の収納構造で使用する収納箱の第３実施例を示す斜視図である。収納箱８は正面枠８ａ、背面枠８ｂ、左右側面枠８ｃ、８ｄ、底板８ｅからなる箱状をしており底板の下面にはキャスター８ｉ、８ｉ、８ｉ、８ｉが接続されている。
【００２５】
前記正面枠８ａは底板８ｅと蝶番８ｆ、８ｆにより開閉可能に接続されており、正面枠８ａを閉じる時は正面枠８ａの内側に取り付けられた係止部材８ｈ、８ｈを左右側面枠８ｃ、８ｄの側面に取り付けられた係止具８ｇ、８ｇに係止させて正面枠８ａの閉じた状態を保つ。また、左右側面枠８ｃ、８ｄの外側には取っ手８ｊが付いておりレール４上を移動させやすくしている。
【００２６】
図１３及び図１４は本発明である床下換気口の収納構造で使用する扉の第２実施例である。図１３に示すように扉９は観音開きの構造をしている。扉９は扉枠９ｂの内側に横枠９ｃ、９ｃ及び多数の縦枠９ｄ、９ｄ、９ｄ・・・が横架した格子状をしている。
【００２７】
基礎部２ａに穿設された換気口に換気口枠９ａが設置され換気口枠９ａに２枚の扉枠９ｂ、９ｂが蝶番９ｅ、９ｅ、９ｅ、９ｅにより開閉可能に取り付けられている。２枚の扉枠９ｂ、９ｂにはそれぞれ係止部材付の取付板９ｆまたは取付板９ｇが取り付けられており、図１３に示すように扉枠９ｂ、９ｂを閉じた状態では係止部材付の取付板９ｆの係止部材９ｈが他方の取付板９ｇに係止されて閉じた状態を保っている。
【００２８】
図１４に示すように係止部材９ｈを係止板９ｇより外扉枠９ｂ、９ｂを開くと中央から左右へ観音開きの状態となり、一度に沢山の荷物の出し入れができる。
【００２９】
図１５は本発明である床下換気口の収納構造で使用する扉の第３実施例である。扉１０は横枠１０ｃ、１０ｃと多数の縦枠１０ｄ、１０ｄ、１０ｄ・・・が横架した外枠１０ｂからなり、基礎部２ａに穿設された換気口に換気口枠１０ａを設置し、その上下に設置された上下レール１０ｅ、１０ｆに挟まれる形で設置されている。
【００３０】
上下レール１０ｅ、１０ｆにより設置された外枠１０ｂは引き戸式になっており外枠１０ｂを左右にスライドさせることで換気口の開閉ができる。外枠１０ｂ内の左端に設けられた縦枠１０ｄには係止部材１０ｋが回動可能に取り付けられた取付板１０ｊが取り付けられており、基礎部２ａに取付られた取付板１０ｉに前記係止部材１０ｋを係止して扉１０の閉じた状態となる。
【００３１】
また上レール１０ｅの両端にはストッパー１０ｇ、１０ｇが取り付けられており、下レール１０ｆの両端にはストッパー１０ｈ、１０ｈが取り付けられているため前記外枠１０ｂの留めることができる。
【００３２】
図１６は本発明である床下換気口の収納構造で使用する収納箱の第４実施例を示した斜視図である。図１６に示すように、収納箱１１は箱１１ａと取っ手１１ｃを備えた引き出し１１ｂ、１１ｂ、１１ｂ・・・とからなり、前記台車７の上に置かれている。
【００３３】
収納箱１１は前記収納箱６と同様に差込孔と差込棒により台車７と接続されているため収納箱１１は回転することができる。尚、引き出しの数は３つに限定したものではなく、収納箱１１の中央に収納箱６と同様に差込孔を穿設できる形であれば引き出し１１ｂの数は多くても少なくても構わない。
【００３４】
図１７は本発明である床下換気口の収納構造で使用する収納箱の第５実施例を示す斜視図である。図１７に示すように、収納箱１２は箱１２ａと取っ手１２ｃを設けた４枚のシャッター１２ｂ、１２ｂ、１２ｂ、１２ｂとからなり、前記収納箱６と同様に台車７とは差込孔と差込棒により接続されているため、回動可能である。
【００３５】
収納箱１２は、前記収納箱６の側面全部がシャッター１２ｂ、１２ｂ、１２ｂ、１２ｂにより開くことができる構造をしている。
【００３６】
図１８は本発明である床下換気口の収納構造で使用する収納箱の第６実施例を示した斜視図である。収納箱１３は正面板１３ａ、背面板１３ｂ、左右側面板１３ｃ、１３ｄと底板１３ｅとからなる。底板の下面にはキャスター１３ｉ、１３ｉ、１３ｉ、１３ｉが設置されている。
【００３７】
背面板１３ｂの高さは正面板１３ａの高さより高いものとなっている。左右側面板１３ｃ、１３ｄは正面板に向かうに連れて高さを低くしているために略台形上をしている。
【００３８】
正面板１３ａは底板１３ｅとは蝶番１３ｆ、１３ｆと接続されているため自由に開閉することができる。正面板１３ａを閉じた状態で維持するために正面板１３ａに取り付けた係止部材１３ｈ、１３ｈを左右側面板１３ｃ、１３ｄの側面に設けた係止具１３ｇ、１３ｇに嵌め込んで閉じた状態を維持することができる。
【００３９】
図１９は本発明である床下換気口の収納構造で使用する収納箱の第７実施例を示す斜視図である。収納箱１４は正面板１４ａ、背面板１４ｂ、左右側面板１４ｃ、１４ｄ、底板１４ｅとからなり正面板１４ａの高さよりも背面板１４ｂの高さの方が高い。背面板１４ｂより正面板１４ａに向けて高さが低くなっていくため左右側面板の高さは傾斜しており、略台形状をしている。
【００４０】
収納箱１４を吊り下げるためのキャスター部１５は略Ｌ字型の保持材１５ａと保持材１５ａにキャスター１５ｃ、１５ｃ、１５ｃ、１５ｃを取り付けるための連結材１５ｂ、１５ｂとからなる。
【００４１】
前記略Ｌ字型の保持材１５ａは先端が前記収納箱１４の正面板１４ａの高さを超えない程度に起立しており、収納箱１４が前にズレ落ちないようにストッパーの役割も兼ねた構造となっている。保持材１５ａの背面側の先端には連結材１５ｂ、１５ｂが取り付けられておりキャスター１５ｃが取り付けられている。
【００４２】
前記キャスター部１５は両端にストッパー１６ｂ、１６ｂのついたＬ字型レール１６ａ、１６ａからなるレール１６、１６にキャスター１５ｃ、１５ｃ、１５ｃ・・・を引っかけて吊り下がる状態に設置される。
【００４３】
図２０は本発明である床下換気口の収納構造で使用する収納箱の第８実施例を示す斜視図である。収納箱１７は、箱１７ａ、取っ手１７ｃの付いた引き出し１７ｂとからなり、スライド式土台１８の上に乗せられている。
【００４４】
前記スライド式土台１８は下面に複数のキャスター１８ｂ、１８ｂ、１８ｂ・・・を備え、上面に複数本のレール１８ｅ、１８ｅ、１８ｅ・・・を備えた土台板１８ａと、下面にスライド棒１８ｄ、１８ｄを備えた３枚のスライド板１８ｃ、１８ｃ、１８ｃとからなる。
【００４５】
前記土台板１８ａは正面以外の縁は起立しており背面板１８ｊ、左側面板１８ｋ、右側面板１８ｌとなっている。尚、収納箱１７の設置数は図２０に示した３つに限定しておらず、前記土台板１８ａを小さくし収納箱１７を２つとしてもよく、また逆に土台板１８ａを大きくし収納箱１７を増やしてもよいものとする。更にスライド式土台１８のキャスター１８ｂ、１８ｂ、１８ｂ・・・の代わりに図１９及び後に説明する図２３のキャスター部１５、２１を利用して吊り下げ構造としてもよいものとする。
【００４６】
図２１は本発明である床下換気口の収納構造で使用する収納箱の第８実施例の一部拡大図である。図２１に示すように、前記スライド板１８ｃの下面に取り付けられたスライド棒１８ｄは円柱の下側を切り落とした略Ｕ字型をしており、土台板１８ａの上面に備えられたレール１８ｅを内側に通している。
【００４７】
前記スライド棒１８ｄの径はレール１８ｅの径より大きく、またスライド棒１８ｄのＵ字の隙間はレール１８ｅの径よりも小さいため、レール１８ｅからスライド棒８ｄが上に向かって外れることはない。また、レール１８ｅの先端にはレール１８ｅ及びスライド棒１８ｄの内径よりも外周の径が大きいストッパー１８ｉが付いているため、スライド棒１８ｄが必要以上に前方にスライドすることがないようにしている。尚、ストッパー１８ｉを外せば、スライド棒１８ｄはレール１８ｅから外すことができる。
【００４８】
土台板１８ａの下面に取り付けられた前記キャスター１８ｂは、筒体１８ｇと調節ネジ１８ｈにより高さを調節することが可能なキャスターである。
【００４９】
図２２は本発明である床下換気口の収納構造で使用する収納箱の第８実施例のＣ−Ｃ線の断面図である。図２２に示すように、スライド棒１８ｄの空洞１８ｆ内にレール１８ｅが貫通している構造であるため、収納箱１７を乗せたスライド板１８ｃは矢印Ｄの方向へスライドすることができる。また、レール１８ｅの後方には前記土台板１８ａの背面板１８ｊが起立しているため収納箱１７が後方へ移動してレール１８ｅから外れることはない。
【００５０】
そのため床下に収納された収納箱１７が換気孔のそばではなく、少し奥で収納されている場合などにスライド板１８ｃごと手前に引き寄せ物を出し入れすることができる。また、このスライド式土台１８の構造により床下換気口の収納構造と換気口を離す事ができるため換気の邪魔にならずに収納をすることができる。
【００５１】
図２３は本発明である床下換気口の収納構造で使用する収納箱の第９実施例の斜視図、図２４は収納箱の第９実施例の断面図である。図２３及び図２４に示す収納箱はワゴン１９と収納箱２０とキャスター部２１とレール１６とからなり、レール１６から吊り下げられたワゴン１９内に収納箱２０が設置されている構造である。
【００５２】
前記レール１６は両端にストッパー１６ｂ、１６ｂを備えた２本のＬ字型レール１６ａ、１６ａとからなり、Ｌ字型レール１６ａ、１６ａの長さは特に限定せず長くも短くもできるものとする。
【００５３】
前記キャスター部２１は、Ｌ字型保持材２１ａ、２１ａと連結部２１ｂ、２１ｂとキャスター２１ｃ、２１ｃ、２１ｃ・・・とからなる。前記Ｌ字型保持材２１ａはＬ字型をしており上端部は２つの連結部２１ｂ、２１ｂが挟む形で連結しており、連結部２１ｂ、２１ｂにはそれぞれ２つのキャスター２１ｃ、２１ｃが設置されている。
【００５４】
前記ワゴン１９のワゴン本体１９ａは前記Ｌ字型保持材２１ａ、２１ａに固定されており底板の上面には２本のレール１９ｃ、１９ｃが設置されている。前記レール１９ｃ、１９ｃの先端はストッパー１９ｂ、１９ｂが取り付けられている。
また、ワゴン１９内には収納箱２０が設置されている。
【００５５】
前記収納箱２０は正面板２０ａ、背面板２０ｂ、左側面２０ｃ、右側面２０ｄ、底板２０ｅとからなり、左右側面２０ｃ、２０ｄは正面板２０ａ側の高さよりも背面板２０ｂ側の高さの方が高くなっている略台形状をしている。
【００５６】
前記正面板２０ａは底板２０ｅと蝶番により連設され、また左右側面２０ｃ、２０ｄとは係止具、係止部材により取り外し可能に連設されているため、正面板板２０ａは前方に倒すことができる。
【００５７】
前記レール１６、１６の取付位置に関しては建物の床下構造により異なるが、例えば垂木と垂木の間に横架させたり、基礎部の一部に取り付けても良いし、床の背面等に設置しても良いものとする。
【００５８】
図２４に示すように前記収納箱２０の底板２０ｅの下面には２つのスライド棒２０ｆ、２０ｆが付設されている。前記スライド棒２０ｆ、２０ｆは中空の円柱の下面を切り落とした略Ｕ字型をしており、図２１で示したスライド棒１８ｄと同じ形をしている。
【００５９】
前記スライド棒２０ｆの径は前記レール１９ｃの径よりも大きくできており、スライド棒２０ｆの内部をレール１９ｃが貫通するかたちで両者は連結している。また、スライド棒２０ｆの下面の隙間の幅はレール１９ｃの径よりも狭いためスライド棒２０ｆがレール１９より上に向かって外れることはない。
【００６０】
前記レール１９ｃの先端にはストッパー１９ｂが取り付けられているため、スライド棒２０ｆがレール１９ｃの前方へスライドして外れることを防いでいる。尚、ストッパー１９ｂを外せば、スライド棒２０ｆはレール１９ｃから外すことができる。
【００６１】
また、前記底板２０ｅの下面には補助キャスター２０ｇ、２０ｇが設置されているため、２つのスライド棒２０ｆ、２０ｆの補助をし、底板２０ｅを支えている。
【００６２】
図２５は本発明である床下換気口の収納構造を床下に設置した状態を示す平面図である。図２５に示すように基礎部２ａの至る所に設けられた換気口に前記扉枠２ｃ設置し、一つの換気口につき一組のレール４と２つの収納箱３、３を設置した。
【００６３】
設置数については、床下の構造などにより様々であるため、特に限定してはいない。例えば、床下の幅が狭い場合には、一組のレール４を短くし収納箱３を１つだけ使用しても良い。
【００６４】
図２５に示した収納箱３の代わりに、台車７に設置された収納箱６や、収納箱８や、台車７に設置された収納箱１１や、台車７に設置された収納箱１２や、収納箱１３や、スライド式土台１８に設置された収納箱１７等を設置しても良い。
【００６５】
また、図２５に示したレール４の代わりにレール１６を設置しキャスター部１５に係止された収納箱１４や、キャスター部２１に連設されているワゴン１９内にスライド式に設置された収納箱２０を使用することも可能である。
【００６６】
更に、扉２を扉９や扉１０にしても良いものとし、全てを統一しなくても利用する場所の大きさに合わせて扉を変えたり、レールや収納箱を変えて使用することも自由である。
【００６７】
前述した全てのキャスター３ｇ、７ｆ、８ｉ、１３ｉ、１５ｃ、１８ｂ、２１ｃを電動式としてリモコン等の操作により移動させることができるものとしてもよい。
【００６８】
【発明の効果】
本発明である  床下換気口の収納構造は、以上のような構成であるから、以下の効果が得られる。
【００６９】
第１に、本発明である床下換気口の収納構造では、どの住宅でも持っている床下構造を収納として利用するため家屋の増築などと比べて安価で家全体の収納スペースを広げることができる。
【００７０】
第２に、収納している間は基礎部分の裏に隠れているため換気口からは収納物が見えず、防犯にも役立ち建物が外観を損なう事もない。
【図面の簡単な説明】
【図１】本発明である床下換気口の収納構造を使用した建物の斜視図である。
【図２】本発明である床下換気口の収納構造の正面図である。
【図３】本発明である床下換気口の収納構造の正面図である。
【図４】本発明である床下換気口の収納構造の収納箱の斜視図である。
【図５】本発明である床下換気口の収納構造の正面図である。
【図６】本発明である床下換気口の収納構造の平面図である。
【図７】本発明である床下換気口の収納構造で使用する収納箱の第２実施例を示す斜視図である。
【図８】本発明である床下換気口の収納構造で使用する収納箱の第２実施例を示す斜視図である。
【図９】本発明である床下換気口の収納構造で使用する収納箱の第２実施例のＡ−Ａ線に沿った断面図である。
【図１０】本発明である床下換気口の収納構造で使用する収納箱の第２実施例のＢ−Ｂ線に沿った断面図である。
【図１１】本発明である床下換気口の収納構造で使用する収納箱の第２実施例を回転させた状態を示す斜視図である。
【図１２】本発明である床下換気口の収納構造で使用する収納箱の第３実施例を示す斜視図である。
【図１３】本発明である床下換気口の収納構造で使用する扉の第２実施例である。
【図１４】本発明である床下換気口の収納構造で使用する扉の第２実施例である。
【図１５】本発明である床下換気口の収納構造で使用する扉の第３実施例である。
【図１６】本発明である床下換気口の収納構造で使用する収納箱の第４実施例を示す斜視図である。
【図１７】本発明である床下換気口の収納構造で使用する収納箱の第５実施例を示す斜視図である。
【図１８】本発明である床下換気口の収納構造で使用する収納箱の第６実施例を示す斜視図である。
【図１９】本発明である床下換気口の収納構造で使用する収納箱の第７実施例を示す斜視図である。
【図２０】本発明である床下換気口の収納構造で使用する収納箱の第８実施例を示す斜視図である。
【図２１】本発明である床下換気口の収納構造で使用する収納箱の第８実施例の一部拡大図である。
【図２２】本発明である床下換気口の収納構造で使用する収納箱の第８実施例のＣ−Ｃ線の断面図である。
【図２３】本発明である床下換気口の収納構造で使用する収納箱の第９実施例の斜視図である。
【図２４】本発明である床下換気口の収納構造で使用する収納箱の第９実施例の断面図である。
【図２５】本発明である床下換気口の収納構造を床下に設置した状態を示す平面図である。
【符号の説明】
【符号の説明】
１      床下換気口の収納構造
２      扉
２ａ    基礎部
２ｂ    換気口枠
２ｃ    扉枠
２ｄ    横枠
２ｅ    縦枠
２ｆ    蝶番
２ｇ    係止部材付係止板
２ｈ    係止板
２ｉ    係止部材
３      収納箱
３ａ    正面枠
３ｂ    背面枠
３ｃ    左側面枠
３ｄ    右側面枠
３ｅ    底枠
３ｆ    取っ手
３ｇ    キャスター
４      レール
４ａ    レール板
４ｂ    溝
４ｃ    ストッパー
５      収納物
６      収納箱
６ａ    天板
６ｂ    底板
６ｃ    左側面
６ｄ    右側面
６ｅ    横衝立
６ｆ    縦衝立
６ｇ    差込孔
６ｈ    シャッター
６ｉ    シャッター
６ｊ    取っ手
６ｋ    内天板
６ｌ    シャッター収納部
７      台車
７ａ    架台
７ｂ    縦枠
７ｃ    横枠
７ｄ    差込棒台
７ｅ    差込棒
７ｆ    キャスター
８      収納箱
８ａ    正面枠
８ｂ    背面枠
８ｃ    左側面枠
８ｄ    右側面枠
８ｅ    底板
８ｆ    蝶番
８ｇ    係止具
８ｈ    係止部材
８ｉ    キャスター
８ｊ    取っ手
９      扉
９ａ    換気口枠
９ｂ    扉枠
９ｃ    横枠
９ｄ    縦枠
９ｅ    蝶番
９ｆ    取付板
９ｇ    取付板
９ｈ    係止部材
１０      扉
１０ａ    換気口枠
１０ｂ    外枠
１０ｃ    横枠
１０ｄ    縦枠
１０ｅ    上レール
１０ｆ    下レール
１０ｇ    ストッパー
１０ｈ    ストッパー
１０ｉ    取付板
１０ｊ    取付板
１０ｋ    係止部材
１１      収納箱
１１ａ    箱
１１ｂ    引き出し
１１ｃ    取っ手
１２      収納箱
１２ａ    箱
１２ｂ    シャッター
１２ｃ    取っ手
１３      収納箱
１３ａ    正面板
１３ｂ    背面板
１３ｃ    左側面
１３ｄ    右側面
１３ｅ    底板
１３ｆ    蝶番
１３ｇ    係止具
１３ｈ    係止部材
１３ｉ    キャスター
１４      収納箱
１４ａ    正面板
１４ｂ    背面板
１４ｃ    左側面
１４ｄ    右側面
１４ｅ    底板
１５      キャスター部
１５ａ    保持材
１５ｂ    連結材
１５ｃ    キャスター
１６      レール
１６ａ    Ｌ字型レール
１６ｂ    ストッパー
１７      収納箱
１７ａ    箱
１７ｂ    引き出し
１７ｃ    取っ手
１８      スライド式土台
１８ａ    土台板
１８ｂ    キャスター
１８ｃ    スライド板
１８ｄ    スライド棒
１８ｅ    レール
１８ｆ    空洞
１８ｇ    筒体
１８ｈ    調節ネジ
１８ｉ    ストッパー
１８ｊ    背面板
１８ｋ    左側面板
１８ｌ    右側面板
１９      ワゴン
１９ａ    ワゴン本体
１９ｂ    ストッパー
１９ｃ    レール
２０      収納箱
２０ａ    正面板
２０ｂ    背面板
２０ｃ    左側面
２０ｄ    右側面
２０ｅ    底板
２０ｆ    スライド棒
２０ｇ    補助キャスター
２１      キャスター部
２１ａ    Ｌ字型保持材
２１ｂ    連結部
２１ｃ    キャスター
【図１】
2005023640.tif 000003
【図２】
2005023640.tif 000004
【図３】
2005023640.tif 000005
【図４】
2005023640.tif 000006
【図５】
2005023640.tif 000007
【図６】
2005023640.tif 000008
【図７】
2005023640.tif 000009
【図８】
2005023640.tif 000010
【図９】
2005023640.tif 000011
【図１０】
2005023640.tif 000012
【図１１】
2005023640.tif 000013
【図１２】
2005023640.tif 000014
【図１３】
2005023640.tif 000015
【図１４】
2005023640.tif 000016
【図１５】
2005023640.tif 000017
【図１６】
2005023640.tif 000018
【図１７】
2005023640.tif 000019
【図１８】
2005023640.tif 000020
【図１９】
2005023640.tif 000021
【図２０】
2005023640.tif 000022
【図２１】
2005023640.tif 000023
【図２２】
2005023640.tif 000024
【図２３】
2005023640.tif 000025
【図２４】
2005023640.tif 000026
【図２５】
2005023640.tif 000027